(57)【要約】【課題】所期の場所に噴霧塗布して用いた時にゴキブリに対して即効的な殺虫効果を奏する新規なゴキブリ用スプレー製品を提供すること。【解決手段】殺虫成分と粉体とを含有したゴキブリ用スプレー製品であって、殺虫成分と共に、前記粉体を１０秒当たり５ｍｇ以上噴射することを特徴とするゴキブリ用スプレー製品。【選択図】なし【特許請求の範囲】
【請求項１】
殺虫成分と粉体とを含有したゴキブリ用スプレー製品であって、殺虫成分と共に、前記粉体を１０秒当たり５ｍｇ以上噴射することを特徴とするゴキブリ用スプレー製品。
【請求項２】
殺虫成分がイミプロトリン、又はイミプロトリン及びメトキサジアゾンであることを特徴とする請求項１記載のゴキブリ用スプレー製品。
【請求項３】
植物抽出物を含有し、殺虫成分と粉体と共に噴射することを特徴とする請求項１又は２記載のゴキブリ用スプレー製品。
【発明の詳細な説明】
【技術分野】
【０００１】
本発明は、所期の場所に噴霧塗布して用いるのに適した、ゴキブリに対して即効的な殺虫効果を奏するゴキブリ用スプレー製品に関する。
【背景技術】
【０００２】
従来からゴキブリを駆除するために殺虫エアゾール剤が用いられている。そしてゴキブリを即効的に殺虫するために、新規な殺虫成分の開発、さらには殺虫成分と共力剤を併用することなどが検討されている。例えば、イミプロトリンと溶剤としてある種の芳香族炭化水素とケロシンとの混合物を用いることで害虫に対するノックッダウン効力を高めることが知られている（例えば、特許文献１参照。）。
【０００３】
これらは害虫に向かって直接噴霧して用いることを前提としたものであり、所期の場所に予め噴霧塗布して用いた場合には十分な殺虫効果を得ることはできないことから、噴霧塗布に適した殺虫エアゾール剤についての検討が行われている（例えば、特許文献２参照。）。
【特許文献１】特許第２７８２８２１号公報（第１−４頁）
【特許文献２】特開平８−２５９４０４号公報（第１−５頁）
【発明の開示】
【発明が解決しようとする課題】
【０００４】
従来の噴霧塗布して用いる殺虫エアゾール剤は、殺虫効果の残効性を高めることを目的としたものであるから即効的ではなく、噴霧塗布された殺虫成分とゴキブリとがある程度の時間接触しなければ殺虫することはできなかった。そのため活動が活発なゴキブリに対しては、十分な殺虫効果が得られなかったり、殺虫までに時間がかかり不快な思いをするなどの問題があった。
【０００５】
そこで本発明は上記のような問題を解決して、所期の場所に噴霧塗布して用いた時にゴキブリに対して即効的な殺虫効果を奏する新規なゴキブリ用スプレー製品を提供することを目的とするものである。
【課題を解決するための手段】
【０００６】
本発明者らは、上記の目的を達成するために鋭意検討した結果、殺虫成分と共に、所定量の粉体を噴射することで、所期の場所に噴霧塗布して用いた時にゴキブリに対して即効的な殺虫効果を奏することを見出し本発明に至った。即ち、本発明は以下のゴキブリ用スプレー製品からなるものである。
（１）殺虫成分と粉体とを含有したゴキブリ用スプレー製品であって、殺虫成分と共に、前記粉体を１０秒当たり５ｍｇ以上噴射することを特徴とするゴキブリ用スプレー製品。
（２）殺虫成分がイミプロトリン、又はイミプロトリン及びメトキサジアゾンであることを特徴とする（１）記載のゴキブリ用スプレー製品。
（３）植物抽出物を含有し、殺虫成分と粉体と共に噴射することを特徴とする（１）又は（２）記載のゴキブリ用スプレー製品。
【発明の効果】
【０００７】
本発明のゴキブリ用スプレー製品は、所期の場所に噴霧塗布して用いた時にゴキブリに対して即効的な殺虫効果を奏する。さらにゴキブリに向かって直接噴霧しても十分な殺虫効果を奏する。特に殺虫成分としてイミプロトリン及びメトキサジアゾンを併用することで、隙間に噴霧した際に隠れたゴキブリに対しても優れたフラッシングアウト効果、殺虫効果を奏する。
【発明を実施するための最良の形態】
【０００８】
本発明のゴキブリ用スプレー製品（以下、「スプレー製品」とも言う）は、殺虫成分及び粉体を含有する原液と噴射剤とからなるエアゾール内容物が噴射機構を備えたエアゾール容器に充填されたものである。そして殺虫成分と共に、粉体を１０秒当たり５ｍｇ以上噴射するように、原液と噴射剤との割合、噴口、バルブ、ステム等の噴射機構、エアゾール容器内の圧力等を調整したものである。ここで噴射される粉体は原液が吸着されていても、吸着されていなくてもどちらでもよい。また、前記のエアゾール形態に用いる原液を手動式噴射機構を備えたスプレー容器に充填したものであってもよい。いずれの場合も、粉体をあまり多量に噴射すると、噴霧塗布した場所での汚れ（白化）が目立ったり、噴口で目詰まりを起こすなどして噴射機構に影響を及ぼすことがあるので、１０秒当たり５〜１００ｍｇ噴射するように調整するのがよい。
本発明のスプレー製品は、適用場面からして広範囲に均一に、また隙間の奥まで内容物を噴射することが容易にできるエアゾール形態とするのがよい。
【０００９】
本発明のスプレー製品では、エアゾール形態とする場合、エアゾール内容物の全量に対して原液は２０〜４０容量／容量％（以下、「ｖ／ｖ％」とも言う）、噴射剤は６０〜８０ｖ／ｖ％となるように含有するのがよい。
【００１０】
またエアゾール容器中の圧力（内圧）は、２５℃条件下で０．３〜０．５ＭＰａ程度とするのがよい。
【００１１】
さらに噴射機構として、噴口直径約０．６〜１．０ｍｍ、ステム径約０．３〜１．２ｍｍ、アンダータップ径約１．０〜２．２ｍｍ、ベーパータップ径約０．３〜２．２ｍｍのバルブ等を用いるのがよい。なおベーパータップはなくてもよい。
【００１２】
本発明に用いる殺虫成分としては、天然ピレトリン、プラレトリン、イミプロトリン、フタルスリン、アレスリン、トランスフルトリン、レスメトリン、フェノトリン、シフェノトリン、ｄ，ｄ−Ｔ９９−シフェノトリン、ペルメトリン、サイパーメスリン、エトフェンプロックス、シフルスリン、デルタメスリン、ビフェントリン、フェンバレレート、フェンプロパスリン、シラフルオフェン、メトフルトリン、プロフルトリン、Ｓ−１８６４（住友化学工業社製）等のピレスロイド系化合物、ジクロルボス等の有機リン系化合物、プロポクスル等のカーバメート系化合物、メトキサジアゾン等のオキサジアゾール系化合物、アミドフルメット等のスルホンアミド系化合物、ジノテフラン等のニコチノイド系化合物、メトプレン、ハイドロプレン、ピリプロキシフェン等の昆虫成長制御化合物、クロルフェナピル、フィプロニル、Ｓ−１９９１（住友化学工業社製）、これらの異性体、誘導体等が挙げられる。これらの中でもゴキブリに対して殺虫効果が高いイミプロトリンを用いるのがよい。またプラル（イミプロトリン５０％含有溶液；住友化学工業社製）を用いてもよい。また、イミプロトリン又はプラルと、メトキサジアゾンとを併用すると優れたフラッシングアウト効果、殺虫効果を得ることができるのでよい。この場合、重量比でイミプロトリン：メトキサジアゾンが１：１〜２：１とするのがよい。なお、プラルを用いる場合には、前記の重量比となるように使用量を調整すればよい。
【００１３】
これらは１種又は２種以上を混合して用いることができ、エアゾール内容物の全量に対して０．１〜１．０重量／容量％（以下、「ｗ／ｖ％」とも言う）、好ましくは０．３〜０．６ｗ／ｖ％含有するのがよい。
【００１４】
本発明の粉体としては、無水ケイ酸、シリカゲル、タルク、ホワイトカーボン、珪藻土等の無機粉体、ポリエチレン樹脂、ポリスチレン樹脂、シリコーン樹脂等の有機粉体が挙げられる。これらの中でも噴霧塗布した場所での汚れ（白化）を少なくするうえで、吸油量が１００〜２００ｍｌ／１００ｇであり、平均粒子径が５μｍよりも小さい無水ケイ酸を用いるのがよい。このようなものとして、例えば、サンスフェアーＬ−３１、サンスフェアーＨ−３１、サンスフェアーＨ−５２、サンスフェアーＨ−３２、サンスフェアーＬ−５１（以上、いずれも洞海化学工業社製）等が挙げられる。
【００１５】
これらの粉体は１種又は２種以上を混合して用いることができ、殺虫成分と共に、１０秒当たり５ｍｇ以上噴射して用いることができればその含有量については制限されるものではないが、エアゾール内容物の全量に対して０．１〜０．５ｗ／ｖ％、好ましくは０．１〜０．３ｗ／ｖ％となるように含有するのがよい。
【００１６】
本発明の原液を調製するのに用いる溶媒としては、水、アルキルベンゼン等の芳香族炭化水素、灯油、パラフィン系炭化水素、ナフテン系炭化水素等の飽和炭化水素、オクテン等の不飽和炭化水素、イソプロピルアルコール、エチルアルコール、オレイルアルコール、ラウリルアルコール等のアルコール類、ミリスチン酸イソプロピル等のエステル類、ポリエチレングリコール、ポリプロピレングリコール等のグリコール類、アルキルフェニルエーテル等のエーテル類、ジクロルメタン等の塩素系溶剤、フッ素系溶剤、シリコーン系溶剤、フタル酸ジブチル、パルミチン酸イソプロピル、ミリスチン酸イソプロピル、ラウリン酸ヘキシル等のカルボン酸エステル系溶剤等が挙げられる。
【００１７】
噴射剤としては、例えば、窒素ガス、圧縮空気、炭酸ガス等の圧縮ガス、ＨＦＣ−１５２ａ、ＨＦＣ−１３４ａ等のハイドロフルオロカーボン、ジメチルエーテル等の液化ガス、プロパン、ブタン、イソブタン等の液化石油ガス、ノルマルペンタン、イソペンタン、シクロペンタン等のペンタン等が挙げられ、これらの１種又は２種以上の混合物を用いることができる。
【００１８】
さらに本発明のゴキブリ用スプレー製品では、オレンジオイル、テルペンレスオレンジオイル、ハッカオイル、ユーカリオイル、リナロール、シトラール、シトロネラオイル、ゼラニウムオイル、ｄ−リモネン、Ｌ−メントール、１，８−シネオール、α−ピネン、シンナミックアルデヒド、オイゲノール、テレビン油、ヒバ油、桂皮油、丁子油、ゴマ油、シソ油等の植物抽出物の１種又は２種以上を併用することで、ゴキブリに対する誘引効果、殺虫効果を向上させることもできる。これらの中でもオレンジオイル、テレビン油、シソ油、桂皮油、ユーカリ油、ゴマ油、リナロール、シトラール、ハッカオイル、ｄ−リモネン、α−ピネンが発明の効果を向上させるうえでよい。
【００１９】
これらは１種又は２種以上を混合して用いることができ、エアゾール内容物の全量に対して０．１〜３．５ｗ／ｖ％、好ましくは０．５〜１．５ｗ／ｖ％として含有するのがよい。
【００２０】
またイミプロトリンと共にオレンジオイルを併用すると、イミプロトリンによる刺激が緩和されるという特異的な効果をも奏するものであり、この場合にはイミプロトリンとオレンジオイルとの重量比を１：１〜１：２として用いるのがよい。
【００２１】
本発明のゴキブリ用スプレー製品は、必要に応じて、ＰＯＥアルキルエーテル、ＰＯＥ脂肪酸エステル等の界面活性剤；乳酸エステル、ポリビニルピロリドン、炭酸プロピレン等の溶解助剤；ピペロニルブトキサイド、Ｎ−オクチルビシクロヘプテンジカルボキシミド（ＭＧＫ２６４）、１，１’−オキシビス〔２，３，３，３−テトラクロロプロパン〕（Ｓ４２１）等の効力増強剤；ラノリン等の展着剤；ペンタン類、２，３−ジハイドロデカフロロペンタン（商品名、バートレルＸＦ、三井デュポンフロロケミカル社製）等の冷却麻痺剤；ポリフェノール、ラウリルメタアクリレート等の消臭剤；グリーンノート系香料、フルーツノート系香料等の香料等を含有してもよい。
【００２２】
本発明のゴキブリ用スプレー製品は、チャバネゴキブリ、クロゴキブリ、ヤマトゴキブリ、ワモンゴキブリ等のゴキブリ類を駆除することができる。
【００２３】
本発明のゴキブリ用スプレー製品は、床面、フローリング、家具、タイル、カーペット、家電製品、押入れ、床下、天井裏、家具や家電製品と壁面や床面との隙間等のゴキブリの活動場所に噴霧塗布して用いるのに適している。
【００２４】
また殺虫成分と共に噴射される粉体の単位面積当たりの噴霧塗布量としては、約４０〜約５５０ｍｇ／ｍ２となるように、噴霧時間や噴出量を調整して用いることで、ゴキブリに対して即効的な殺虫効果を奏すると共に、噴霧塗布した場所での汚れ（白化）も目立たないのでよい。
【実施例】
【００２５】
以下に実施例によって本発明をさらに詳しく説明するが、本発明はこれらに限定されるものではない。
【００２６】
試験例１
表１に記載したゴキブリ用スプレー製品（容量３００ｍｌ、噴口径０．８ｍｍ、ステム０．４５ｍｍ×２、アンダータップ２．２ｍｍ、ベーパータップ０．３ｍｍ、内圧０．４Ｍｐａ）を作成した。そして各スプレー製品を化粧板（１５ｃｍ×１５ｃｍ）に約２０ｃｍの距離から１秒間噴霧した。１日後に化粧版の上にプラスチックカップ（直径１２ｃｍ、高さ１０ｃｍ）を置き、その中にクロゴキブリ６匹又は抵抗性チャバネゴキブリ１０匹を放虫して、所定時間ゴキブリを化粧板と接触させた。その後ゴキブリを清潔なプラスチックカップに移して致死時間を測定し、その結果からＬＴ５０（ゴキブリの５０％が致死する接触時間（分））を算出した。試験は３回繰り返して行いその平均値を算出した。
【００２７】
【表１】
2005314349.tif 000002
【００２８】
試験の結果は表２に記載したとおり、本発明のゴキブリ用スプレー製品は、噴霧塗布して用いた時に、ゴキブリに対して即効的な殺虫効果を奏することが確認された。この効果は抵抗性ゴキブリに対しても確認された。また実施例１及び２において、オレンジオイル又はテレビン油を１．０ｇ配合した場合、同等以上の殺虫効果が得られた。
【００２９】
【表２】
2005314349.tif 000003
【００３０】
試験例２
実施例１と比較例１のゴキブリ用スプレー製品を用いて、クロゴキブリに向かって５０ｃｍの距離から直接噴霧してノックダウン時間（秒）を算出した。試験は５回繰り返して行いその平均値を算出した。
【００３１】
試験の結果、ノックダウン時間はいずれも約１７秒であり、粉体を含有していてもゴキブリに向かって直接噴霧した場合に殺虫効果に影響を及ぼさないことが確認された。
【００３２】
試験例３
残さ効力試験（任意接触法）
１００ｃｍ×１００ｃｍのバットにクロゴキブリ２０匹を入れて１日飼育し、慣らした。実施例３及び実施例４の検体を化粧板（１５ｃｍ×１５ｃｍ）に１秒間噴霧塗布し、その板を前記バット内に１０枚設置した。そして、２時間後のＫＤ数（ノックダウンしたゴキブリの数）、２４時間後の致死数を観察した。試験は２回繰り返し、それぞれＫＤ率（％）、致死率（％）を算出した。
【００３３】
試験の結果は、表３に記載したとおりで、実施例３及び実施例４ともに、比較例１に比べて高いＫＤ率（％）、致死率（％）が得られた。特にイミプロトリンとメトキサジアゾンとを併用した実施例４は優れた効果であった。
【００３４】
【表３】
2005314349.tif 000004
【００３５】
試験例４
隙間噴霧効力試験
３０ｃｍ×４０ｃｍ×３０ｃｍの箱にクロゴキブリ３０匹を入れて１日飼育し、慣らした。天面に設けた開口から実施例３及び実施例４の検体を６秒間噴霧した。２分後のＦＯ数（フラッシングアウトしたゴキブリの数）、ＫＤ数を観察した。２４時間後の致死数を観察した。試験は２回繰り返し、それぞれＦＯ率（％）、ＫＤ率（％）、致死率（％）を算出した。
【００３６】
試験の結果は表４に記載したとおりで、実施例３及び実施例４ともに、高いＦＯ率（％）、ＫＤ率（％）、致死率（％）が得られた。特にイミプロトリンとメトキサジアゾンとを併用した実施例４は、ＦＯ率、ＫＤ率、致死率のいずれも優れ、隙間への適用に有効であると考えられた。
【００３７】
【表４】
2005314349.tif 000005
【００３８】
製剤例１
（成分）                          （重量％）
プラル                            ０．６７ｇ
無水ケイ酸                        ０．１ｇ
植物抽出物＊                       １．０ｇ
ミリスチン酸イソプロピル          ４．０ｇ
１号灯油                          ７０ｍｌとする
ジメチルエーテル                １１０ｍｌ
液化石油ガス                    １２０ｍｌ
合計                            ３００ｍｌ
製剤例２
（成分）                          （重量％）
プラル                            ０．６７ｇ
無水ケイ酸                        ０．１ｇ
植物抽出物＊                       １．０ｇ
エタノール                        ４．０ｇ
１号灯油                          ７０ｍｌとする
ジメチルエーテル                １１０ｍｌ
液化石油ガス                    １２０ｍｌ
合計                            ３００ｍｌ
製剤例３
（成分）                          （重量％）
プラル                            ０．６７ｇ
無水ケイ酸                        ０．１ｇ
バートレルＸＦ                  １０．０ｍｌ
イソプロピルアルコール            ２０ｍｌとする
ジメチルエーテル                ２８０ｍｌ
合計                            ３００ｍｌ
製剤例４
（成分）                          （重量％）
プラル                            ０．６７ｇ
無水ケイ酸                        ０．１ｇ
植物抽出物＊                       １．０ｇ
バートレルＸＦ                    ５．０ｍｌ
イソプロピルアルコール            １５ｍｌとする
ジメチルエーテル                ２８５ｍｌ
合計                            ３００ｍｌ
＊植物抽出物は、製剤例１、２及び４のいずれにおいても、それぞれ、テレビンオイル、ユーカリオイル、ケイヒオイル、リナロール、シソオイル、ハッカオイル、チョウジオイル、シトラール、オレンジオイル、ピネン、ベンズアルデヒド、オイゲノールの群から選ばれる少なくとも１種である。